(57)【特許請求の範囲】
【請求項１】
原稿に記録された画像情報を読み取る画像読み取り装置において
原稿からの光情報を受けて電気信号に変換するラインセンサと、該ラインセンサの出力をディジタルデータに変換するＡ／Ｄ変換器と、少なくとも画像読み取り処理の制御動作を行う制御部とを具備し、
プラテンカバーを閉じていない状態で原稿の主走査方向の第１の走査を行ない、
次に、プラテンカバーを閉じた状態で原稿の主走査方向の第２の走査を行ない、
前記制御部は、これら２回の走査で得られたラインセンサ出力のそれぞれから原稿端部候補を検出し、該原稿端部候補間の距離から原稿サイズを判定する際に、第１の走査で得られたラインセンサ出力から検出される原稿端部候補と第２の走査で得られたラインセンサ出力から検出される原稿端部候補の中から、最も外側の２点の原稿端部候補を採用し、これら２点の原稿端部候補間の距離から原稿サイズを判定することを特徴とする画像読み取り装置。
【請求項２】
前記プラテンカバーの開閉を検知する検知手段を設け、該検知手段により、プラテンカバーが閉じられかけたことを検知したら前記第１の走査を行ない、次にプラテンカバーが完全に閉じられたことを検知したら前記第２の走査を行なうことを特徴とする請求項１記載の画像読み取り装置。
【請求項３】
前記制御部は、前記第１の走査で原稿の白領域の原稿端部候補を検出し、前記第２の走査で原稿の黒領域の原稿端部候補を検出する、
ことを特徴とする請求項１または請求項２のいずれかに記載の画像読み取り装置。
【発明の詳細な説明】
【０００１】
【発明の属する技術分野】
本発明は、画像情報をディジタル情報に変換する画像読み取り装置に関する。特に、画像読み取り装置を利用した自動原稿サイズ検出機能に関する。画像読み取り装置は、ディジタル複写機、ディジタルファクシミリ、イメージスキャナ等に搭載される。
【０００２】
【従来の技術】
図７は従来のディジタル式複写機の構成例を示す図、図８は複写機の外観構成例を示す図である。図８において、２６は原稿を自動給紙する時の給紙トレイ、２６ａは原稿挿入口である。１は原稿を押さえるプラテンカバーで、自動給紙機構（ＡＤＦ）を兼ねている。１９はコピー用紙を入れる上段トレイ、１９ａはコピー用紙を入れる中段トレイ、２０はコピー用紙を入れる下段トレイである。２４，２５はそれぞれ大容量給紙トレイ（ＬＣＴ−１５００）、大容量給紙トレイ（ＬＣＴ−１０００）である。なお、１５００，１０００はコピー用紙の収容枚数を示す。
【０００３】
図７において、４０はコピー用紙のコピー枚数設定、倍率設定、選択用紙設定等を行なう操作部である。１７は、手差しでコピー用紙を給紙する手差しトレイである（図８では省略してある）。１はプラテンカバー（ＡＤＦ）、２は原稿を照射する露光ランプ、３は原稿からの反射光を受けて画像信号として読み取る画像読み取り部である。
【０００４】
２３は画像読み取り部３で読み取った原稿画像をディジタルデータに変換した後、所定の画像処理を行なう画像処理部、４は該画像処理部２３で処理した画像信号を受けて感光体ドラム５に画像を書き込む画像書き込み部である。該画像書き込み部４において、７は出射されるビームを主走査方向に走査するポリゴンミラーである。
【０００５】
次に、感光体ドラム５近辺の構成について説明する。６は感光体ドラム５上に形成された静電潜像にトナーを付着させる現像部、８は感光体ドラム５上に形成されたトナー画像をコピー用紙に転写する転写極、９は転写同時露光によりトナーの電荷を除去するＰＳＬである。１０は、感光体ドラム５からコピー用紙を分離する分離極、１２は分離されたコピー用紙を搬送する搬送部である。１３は搬送部１２から搬送されてきたコピー用紙を定着させる定着部である。
【０００６】
１４は転写された後も感光体ドラム５上に残っているトナー等を除去するクリーニング部、１５は感光体ドラム５の表面に残存する電荷を帯電前に除去するＰＣＬ、１６は感光体ドラム５の表面に電荷を一様に帯電させる帯電極である。
【０００７】
１９はコピー用紙を格納する上段トレイ、２０はコピー用紙を格納する下段トレイである。１８はこれらトレイからのコピー用紙を給送する給紙部、１１は同じくコピー用紙を給送する第２給紙部である。
【０００８】
２７は画像が転写されたコピー用紙を受ける排紙トレイ、２１は両面コピー時にコピー用紙を折り返し搬送するＡＤＵ排紙／搬送部、２２はＡＤＵ排紙／搬送部２１から搬送されてきたコピー用紙を感光体ドラム入口部に表裏を反転して戻すＡＤＵ給紙／搬送部である。２４は第１の大容量給紙トレイ（ＬＣＴ−１５００）、２５は第２の大容量給紙トレイ（ＬＣＴ−１０００）である。
【０００９】
３０は画像形成装置の全体の動作を制御する制御部である。該制御部３０としては、例えばマイクロプロセッサが用いられる。コピー枚数、拡大倍率、コピー濃度、マニュアルによる紙種設定等を行ない制御部３０に通知する操作部である。ここでは、簡単のために操作部を装置の外部に示しているが、具体的には、図８に示したようにＡＤＦ１の取り付け面に、コピー枚数設定ボタン、拡大倍率選択ボタン、用紙選択ボタン等と共に設けられるのが普通である。
【００１０】
前記操作部４０としては、例えばキーボード等やファンクションキー等が用いられる。制御部３０からは、感光体ドラム５を回転させるモータを駆動する制御信号と、搬送系を駆動して搬送速度を規定する制御信号と、定着部１３の定着温度を規定する制御信号等が出力される。このように構成された装置の動作を説明すれば、以下の通りである。
【００１１】
一般的なコピー動作について以下に説明する。
ＡＤＦ１に原稿が載置され、露光ランプ２により原稿が露光され、光画像情報が画像読み取り部３で読み取られる。読み取り素子としては、例えばＣＣＤが用いられる。ＣＣＤの検出信号は、画像処理部２３に送られ、ディジタル画像データに変換された後、該画像処理部２３で所定の補正と画像処理が行なわれる。該画像処理部２３の出力はアナログ信号に変換された後、画像書き込み部４に送られる。
【００１２】
感光体ドラム５はＯＰＣ感光体をドラム上に塗布したもので、電位的に接地されており、モータ（図示せず）により時計方向に駆動回転される。帯電極１６は、感光体ドラム５の周面に対し、一様な帯電を行なう。この帯電に先立ち、発光ダイオード等を用いた露光器（例えばＰＣＬ）１５により露光を行ない、感光体ドラム周面の除電をしておく。
【００１３】
感光体ドラム５への一様帯電の後、画像書き込み部４により画像処理部２３からの画像信号に基づいた像露光が行なわれる。画像書き込み部４は、図示しないレーザダイオードを発光光源として、回転するポリゴンミラー７を経てミラーにより光路を曲げられ走査を行なうものであり、感光体ドラム５の回転（副走査）によって静電潜像を形成する。
【００１４】
感光体ドラム５の周縁には黒色のトナーとキャリアからなる現像剤を内蔵した現像部６が設けられており、マグネットを内蔵し現像剤を保持して回転する現像スリーブ（図示せず）により現像が行なわれる。現像剤は、現像域へと搬送される。現像域における現像スリーブと感光体ドラム５との間に所定の交流バイアス電圧と所定の直流電圧が重畳して印加される。これにより、キャリアから離脱する契機を与えられたトナーは、直流電位より低い部分に付着し、顕像化が行なわれる。
【００１５】
一方、上段トレイ１９又は下段トレイ２０又は手差しトレイ１７又は第１の大容量給紙トレイ（ＬＣＴ−１５００）２４又は第２の大容量給紙トレイ（ＬＣＴ−１０００）２５から搬送されてくるコピー用紙は、転写のタイミングが整った時点で搬送系により転写域へと給紙される。転写域においては、転写のタイミングに同期してコピー用紙を感光体ドラム５の周面に挟着して像が転写極８により転写される。
【００１６】
次いで、感光体ドラム５の電荷はＰＳＬ９により除電され、コピー用紙は分離極１０により分離されて搬送部１２により定着部１３に搬送され、熱ローラと圧着ローラの加熱、加圧によりトナーを溶着した後、排紙ローラを介して排紙され、排紙トレイ２７に溜まっていく。必要な場合には、その表面に原稿画像が転写された転写は、ＡＤＵ排紙／搬送部２１を介して感光体ドラム５の入口まで折り返し搬送され、裏面にも原稿画像が転写される。
【００１７】
一方、コピー用紙を分離した感光体ドラム５は、クリーニング部１４のブレードにより圧接され、残留トナーを除去、清掃し、再びＰＣＬ１５による除電と帯電極１６による帯電を受けて、次の画像形成プロセスに備える。
【００１８】
前述したディジタル式の複写機では、画像読み取り部３を使用して自動原稿サイズ検出機能を実現している。この機能の概要は以下の通りである。
▲１▼オペレータは、原稿をプラテンガラス上に置き、プラテンカバーを閉めた時、若しくはオペレータが原稿をプラテンガラス上に置き、複写操作を行なった時に、画像読み取り部３を使用して原稿画像を副走査方向（原稿の縦方向）に数ライン読み込む。
【００１９】
▲２▼読み込んだ原稿の地肌が白であった場合、プラテンカバーを閉めないで画像読み取りを行なうと、原稿以外の部分はスカイショット（光学系の結像範囲外の画像を読み込んだ状態）になるため、画像読み取り部３から出力される主走査方向（原稿の横方向）の１ライン分の出力信号は図９に示すようなものとなる。図において、横軸は主走査方向、縦軸は検出信号（輝度）である。ラインセンサの出力は、明るい場合ほど高くなり、暗い画像では低くなる。
【００２０】
▲３▼装置には、予め使用可能な原稿用紙幅の情報（原稿用紙幅と画素数の対応）を記憶しておくことにより、所定のスレッショルド値（原稿端部検出スレッショルド）により検出された出力信号の変化点（図９のＡ点とＢ点）の幅（画素数）に最も適する原稿の幅を特定することができる。
【００２１】
▲４▼このような方法を、原稿の縦方向にも展開すれば、原稿の長さを特定することができ、原稿サイズが決定される。但し、この場合、画像読み取り部３を原稿長さ分走査させなければならないので、原稿サイズを特定するのに時間がかかる。そこで、検知時間の短縮のため、原稿の縦方向（副走査方向）の検知については、別途光学式の位置検出センサ等を使用してもよい。
【００２２】
【発明が解決しようとする課題】
前記した原稿サイズの特定の操作において、地肌が黒である原稿の場合、画像読み取り部３からの信号は図１０に示すように黒信号だけが出力され、この信号からは原稿の幅が検出できない不具合が発生する。更に、前記した原稿サイズの特定の操作において、画像読み取り部３からの信号処理は、処理速度向上及び処理情報量削減のために所謂「間引き処理」を行なった情報を使用して行なう場合がある。
【００２３】
例えば、４００ｄｐｉ（ドット／インチ）の解像度の画像読み取り部３で１６画素毎に１画素の情報を取り込む間引き処理を行なった場合、処理後の画像は約６３μｍ幅の画像が約１ｍｍ間隔で取り込まれる。
【００２４】
このような設定で、方眼紙のように規則正しい間隔（例えば１ｍｍ間隔）で線が並んでいる原稿を読み込むと、原稿が置かれる場所によって白／黒どちらかに不定になる可能性があり、ＡＰＳを行なう際に不具合が発生する。
【００２５】
図１１は不具合発生の説明図である。スカイショットで読み取った場合である。縦軸は主走査方向、横軸は検出信号である。図の○は間引きのためのサンプリングポイントである。サンプリングポイントがたまたま方眼紙の黒い部分と重なると図に示すように、ラインセンサの出力は低い状態となり、原稿の幅を判定することが困難になる。
【００２６】
本発明はこのような課題に鑑みてなされたものであって、原稿のサイズを確実に判定することができる画像読み取り装置を提供することを目的としている。
【００２７】
【課題を解決するための手段】
前記した課題を解決する本発明は、原稿に記録された画像情報を読み取る画像読み取り装置において、原稿からの光情報を受けて電気信号に変換するラインセンサと、該ラインセンサの出力をディジタルデータに変換するＡ／Ｄ変換器と、少なくとも画像読み取り処理の制御動作を行う制御部とを具備し、プラテンカバーを閉じていない状態で原稿の主走査方向の第１の走査を行ない、次に、プラテンカバーを閉じた状態で原稿の主走査方向の第２の走査を行ない、前記制御部は、これら２回の走査で得られたラインセンサ出力のそれぞれから原稿端部候補を検出し、該原稿端部候補間の距離から原稿サイズを判定する際に、第１の走査で得られたラインセンサ出力から検出される原稿端部候補と第２の走査で得られたラインセンサ出力から検出される原稿端部候補との中から、最も外側の２点の原稿端部候補を採用し、これら２点の原稿端部候補間の距離から原稿サイズを判定することを特徴としている。
【００２８】
この発明の構成によれば、プラテンカバーを閉じていない状態での第１の走査と、プラテンカバーを閉じた状態での第２の走査を行なうことにより、原稿のサイズを確実に判定することができる。
【００２９】
この場合において、前記プラテンカバーの開閉を検知する検知手段を設け、
該検知手段により、プラテンカバーが閉じられかけたことを検知したら前記第１の走査を行ない、次にプラテンカバーが完全に閉じられたことを検知したら前記第２の走査を行なうことを特徴としている。
【００３０】
この発明の構成によれば、オペレータがプラテンカバーを閉じようとした時点を検出してスカイショット走査を行ない、次にプラテンカバーが閉じた状態で走査を行なうことにより、原稿のサイズを確実に判定することができる。
【００３１】
また、前記制御部は、前記第１の走査で原稿の白領域の原稿端部候補を検出し、前記第２の走査で原稿の黒領域の原稿端部候補を検出する、ことを特徴としている。
【００３３】
【発明の実施の形態】
以下、図面を参照して本発明の実施の形態例を詳細に説明する。
図１は本発明の一実施の形態例を示す概略の回路図で、主として画像読み取り部の構成を示す。図７と同一のものは、同一の符合を付して示す。図において、３０は少なくとも画像読み取り処理の制御を行なう制御部で、例えばマイクロプロセッサが用いられる。３７は制御部３０内に設けられた各種情報を記憶するメモリである。該メモリ３７は、図に示すように制御部３０内ではなく、外部に設けることもできる。また、メモリ３７には原稿サイズ（例えばＡ３，Ａ４，Ｂ３，Ｂ４，Ｂ５等）の幅方向の長さ情報（画素数）が記憶されている。
【００３４】
３１は光原稿情報を電気信号に変換するラインセンサで、例えばＣＣＤが用いられる。３２は該ＣＣＤラインセンサ３１の出力をディジタルデータに変換するＡ／Ｄ変換器、３３は該Ａ／Ｄ変換器３２の出力を受けて画像処理を行なう画像処理回路である。該画像処理回路３３としては、例えば入力に対する出力の関係が記憶されたＬＵＴ（ルックアップテーブル）等が用いられる。
【００３５】
３４は該画像処理回路３３の出力を受けて階調に応じたパルス幅変調（ＰＷＭ）を行なうパルス幅変調部、３５は該パルス幅変調部３４の出力を受けてレーザを駆動するレーザ駆動部である。該レーザ駆動部は、画像書き込み部４（図７参照）に与えられる。
【００３６】
３６はプラテンカバーが閉じられることを検出する開閉検知センサであり、これは２段階でスイッチが入るマイクロスイッチ等から構成されているもので、プラテンカバーが閉じられかかった時に１段目のスイッチが入り、完全に閉じられた時点で２段目のスイッチが入るように構成されている。また、この構成とは別にマイクロスイッチが段数に応じて２個設けられているものであってもよい。
【００３７】
４０はコピー枚数、コピー濃度、倍率等のコピー条件を設定する操作部である。開閉検知センサ３６は、例えば図２に示すようにプラテンカバーの開閉支点近傍に設けられる。これら開閉検知センサ３６と操作部４０の出力は制御部３０に与えられる。該制御部３０は、ＣＣＤラインセンサ３１と、Ａ／Ｄ変換器３２と、パルス幅変調部３４と、レーザ駆動部３５の動作を制御する。このように構成された装置の動作を説明すれば、以下の通りである。
【００３８】
先ず、オペレータが原稿４１を図２に示すようにプラテンガラス４２上に置く。そして、プラテンカバー１を閉めようとすると、ある程度まで閉められた時点で開閉検知センサ３６がプラテンカバー１が閉められようとしていることを検知し、制御部３０に通知する。制御部３０は、この状態で画像読み取り部３を動作させ、プラテンカバー１が閉じていない状態でスカイショット走査を行なう（第１の走査）。この走査は副走査方向に数ライン行なう。そして、得られた数ラインの画像データの平均を求める。
【００３９】
この時の、原稿４１の反射画像は光学系を介してＣＣＤラインセンサ３１上に結像し、該ＣＣＤラインセンサ３１は光信号を電気信号に変換する。ＣＣＤラインセンサ３１の出力は、間引かれて続くＡ／Ｄ変換器３２にに入り、ディジタル画像データに変換される。ここで、ＣＣＤラインセンサ３１の出力を間引くのは、原稿情報を読み取るモードではなく、原稿のサイズを決定するモードであるからである。原稿４１のサイズを判定するために必要な画素数のデータがあればよい。そこで、主走査方向に所定の数のサンプリング点を設けて画像を読み込めば足りる。前記Ａ／Ｄ変換器３２の出力は、制御部３０に送られ、メモリ３７に記憶される。
【００４０】
制御部３０は第１の走査による原稿情報を読み込んだ後、次にプラテンカバー１が完全に閉じられると、開閉検知センサ３６が２段目の検知をし、制御部３０に通知され、制御部３０が画像読み取り部３を動作させ、走査を行なう（第２の走査）。この走査も副走査方向に数ライン分行なう。この時のＣＣＤラインセンサ３１で読み取った画像信号は、間引かれてＡ／Ｄ変換器３２に入力され、該Ａ／Ｄ変換器３２によりディジタル画像データに変換された後、制御部３０内のメモリ３７に記憶される。
【００４１】
次に、制御部３０はメモリ３７に記憶されている、前記第１の走査により得られた画像データと、第２の走査により得られた画像データを基に予め設定した原稿端部検出スレッショルドにより信号の変化点を検出し、複数の変化点の最大幅（画素数）により、原稿サイズを判定する。原稿４１の状態には図３に示すように種々の状態がありうる。図３の（ａ）は原稿の幅を検出する位置における原稿の地肌が白である状態を、（ｂ）は原稿の一部が黒（ハッチングで示す領域）である状態を、（ｃ）は原稿の地肌が黒である状態をそれぞれ示す。それぞれの場合において、制御部３０は以下のような動作により原稿サイズを判定する。
【００４２】
▲１▼原稿の地肌が白である場合（図３の（ａ）対応）
この場合には、ＣＣＤラインセンサ３１の検出画像は図４に示すようなものとなる。（ａ）がスカイショット状態（第１走査）を、（ｂ）がプラテンカバー１が閉じた状態（第２走査）を示す。
【００４３】
（ａ）に示すスカイショット走査では、原稿部分のみＣＣＤ出力が高く（ハイレベル）なり、原稿以外の部分は暗い状態（ローレベル）となる。（ｂ）に示す第２走査の場合には、原稿以外の領域はプラテンカバー１の裏面の色を白色にしておくことにより、ＣＣＤ出力は高くなり、原稿の端と区別がつかない（検出不能）。しかしながら、この場合には（ａ）に示すスカイショット走査で検出信号を所定のスレショルド値（原稿端部検出スレショルド）と比較することにより、原稿の端（Ａ１点とＢ１点）が認識できるので、Ａ１点とＢ１点間の距離Ｗが原稿の幅であると認識することができる。
【００４４】
具体的には、ＣＣＤラインセンサ３１のＣＣＤ素子の数と予めメモリ３７に記憶してある原稿の種類と原稿の幅との関係を参照することにより、ＣＣＤラインセンサ３１の出力から原稿の幅情報を求めることができる。画素を間引いて読み取る場合も同様である。間引いた画素間が原稿の距離のいくらに相当するかを予め決めておけばよい。
【００４５】
▲２▼原稿の地肌の一部が黒である場合（図３の（ｂ）対応）
この場合には、ＣＣＤラインセンサ３１の検出画像は図５に示すようなものとなる。（ａ）がスカイショット状態（第１走査）を、（ｂ）がプラテンカバー１が閉じた状態（第２走査）を示す。
【００４６】
スカイショット走査では、原稿の左端が黒いのでＣＣＤ出力は低くなり、（ａ）に示すように見かけ上ローレベルの範囲が広がる。つまり、原稿のハイレベルの範囲が狭まる。
【００４７】
一方、プラテンカバー１を閉じた第２走査では、スカイショットではローレベルの領域がプラテンカバー１の裏面を読み込んだ部分の信号が白となるので、（ｂ）に示すような特性をとる。従って、この場合には、原稿の左端は（ａ）の第１走査で検出された点Ａ１、Ｂ１と、（ｂ）の第２走査で検出された点Ａ２、Ｂ２が検出される。このように、２点より多くの原稿端部候補が検出された場合、最も外側（最も幅が広くなる候補）の候補点を採用する。よって、原稿サイズは点Ａ２から点Ｂ２までの距離Ｗとして求めることができる。
【００４８】
▲３▼原稿の地肌が黒である場合（図３の（ｃ）対応）
この場合には、ＣＣＤラインセンサ３１の検出画像は図６に示すようなものとなる。（ａ）がスカイショット状態（第１走査）を、（ｂ）がプラテンカバー１が閉じた状態（第２走査）を示す。
【００４９】
スカイショット走査では、原稿の左端と右端が暗いのでＣＣＤ出力は低くなり、（ａ）に示すように見かけ上ローレベルとなる。つまり、原稿のハイレベルの範囲が検出できない。
【００５０】
一方、プラテンカバー１を閉じた第２走査では、原稿の暗い部分が（ｂ）に示すように検出されるので、（ｂ）のＡ２点とＢ２点間の距離Ｗが原稿の幅であると認識することができる。
【００５１】
このように原稿の幅が求まると、制御部３０はメモリ３７に記憶されている原稿の幅方向のデータと比較して、同じかほぼ同じ幅方向データがあった場合には、その原稿幅を特定のサイズの原稿である（例えばＡ４かＡ３である）と判定することができる。
【００５２】
更に、原稿の長さを検知する光センサ（図示せず）の情報と組み合わせることにより、原稿サイズ（例えばＡ４）を特定することができる。
上述した実施の形態例では、プラテンカバーを閉じていない状態での第１の走査と、プラテンカバーを閉じた状態での第２の走査を行なうことにより、原稿の幅を確実に判定することができる。
【００５３】
また、この実施の形態例では、オペレータがプラテンカバーを閉じようとした時点を開閉検知センサで検出してスカイショット走査を行ない、次にプラテンカバーが閉じた状態で走査を行なうことにより、原稿の幅を確実に判定することができる。
【００５４】
この実施の形態例では、制御部３０のマイクロプロセッサがメモリ３７に記憶した情報を処理して実現したが、同様の処理内容を行なうハードウェアを追加して実現してもよい。
【００５５】
また、上述の実施の形態例では、原稿の主走査方向の幅を求める場合を例にとったが、原稿の副走査方向にも同様に本発明を適用することができる。この場合には、原稿の幅情報と長さ情報が加わるので、光センサ等を設置することなく原稿のサイズを確実に判定することができる。但し、原稿が置かれてからプラテンカバーが閉まるまでにスキャンする必要があるので、スキャン速度を高速にする等の工夫が必要である。
【００５６】
また、上述の実施の形態例では、単色トナーによる画像形成の場合を例にとったが、本発明はこれに限るものではなく、前述した画像形成工程をトナーの数だけ繰り返すカラー複写機にも同様に適用することができる。カラー画像形成の場合には、イエロー（Ｙ）、マゼンタ（Ｍ）、シアン（Ｃ）、ブラック（Ｋ）のトナーが用いられる。
【００５７】
なお、プラテンカバーが開かれた状態でコピー開始が指示された場合は、第２の走査（プラテンカバーが閉められた状態）の検出は不可能なので、第１の走査の検出結果のみで原稿の幅を検出してもよい。同様に、オペレータが原稿をプラテンガラスに乗せ、プラテンカバーを閉めた状態で電源をオンにしてコピー動作を行なった場合には、第１の走査の検出は不可能なので、第２の走査の検出結果のみで原稿の幅を検出してもよい。
【００５８】
また、上述の実施の形態例では、本発明を複写機に適用した場合を例にとったが、本発明はこれに限るものではなく、プラテンカバー状のもので原稿を押さえる方式の他の種類の画像読み取り装置、例えばファクシミリ装置や、パソコン等の画像情報を読み込むイメージスキャナにも同様に適用することができる。
【００５９】
また使用するラインセンサもＣＣＤセンサに限るものではなく、任意の光電変換素子であれば、どのようなものであってもよい。
【００６０】
【発明の効果】
以上、詳細に説明したように、本発明によれば、原稿に記録された画像情報を読み取る画像読み取り装置において、原稿からの光情報を受けて電気信号に変換するラインセンサと、該ラインセンサの出力をディジタルデータに変換するＡ／Ｄ変換器と、少なくとも画像読み取り処理の制御動作を行う制御部とを具備し、プラテンカバーを閉じていない状態で原稿の主走査方向の第１の走査を行ない、次に、プラテンカバーを閉じた状態で原稿の主走査方向の第２の走査を行ない、前記制御部は、これら２回の走査で得られたラインセンサ出力を基に原稿サイズを判定することにより、
特別な原稿サイズの検出装置を設置することなく、原稿のサイズを確実に判定することができる。
【００６１】
この場合において、前記プラテンカバーの開閉を検知する検知手段を設け、該検知手段により、プラテンカバーが閉じられかけたことを検知したら前記第１の走査を行ない、次にプラテンカバーが完全に閉じられたことを検知したら前記第２の走査を行なうことにより、
オペレータがプラテンカバーを閉じようとした時点を検出してスカイショット走査を行ない、次にプラテンカバーが閉じた状態で走査を行ない、原稿のサイズを確実に判定することができる。
【００６２】
また、前記制御部は、前記第１の走査によるラインセンサの出力と、前記第２の走査によるラインセンサの出力の何れか一方の出力を受けて原稿サイズを判定することにより、
オペレータによりプラテンカバーが開けられたままで原稿の読み取り操作が行なわれた場合、又はプラテンカバーが閉じられたままで原稿の読み取り操作が行なわれた場合には、前記第１の走査のみの情報又は第２の走査のみの情報から原稿サイズを判定することができる。
【００６３】
このように、本発明によれば、原稿のサイズを確実に判定することができる画像読み取り装置を提供することができる。
【図面の簡単な説明】
【図１】本発明の一実施の形態例を示す概略の回路図である。
【図２】プラテンカバーの開閉状態を示す図である。
【図３】原稿の状態を示す図である。
【図４】原稿幅検出の説明図（１）である。
【図５】原稿幅検出の説明図（２）である。
【図６】原稿幅検出の説明図（３）である。
【図７】複写機の構成例を示す図である。
【図８】複写機の外観構成例を示す図である。
【図９】画像読み取り部の出力信号波形を示す図である。
【図１０】不具合発生の説明図（１）である。
【図１１】不具合発生の説明図（２）である。
【符号の説明】
３１    ＣＣＤラインセンサ
３２    Ａ／Ｄ変換器
３３    画像処理回路
３４    パルス幅変調部
３５    レーザ駆動部
３６    開閉検知センサ
４０    操作部
【図１】
0003592046.tif 000002
【図２】
0003592046.tif 000003
【図３】
0003592046.tif 000004
【図４】
0003592046.tif 000005
【図５】
0003592046.tif 000006
【図６】
0003592046.tif 000007
【図７】
0003592046.tif 000008
【図８】
0003592046.tif 000009
【図９】
0003592046.tif 000010
【図１０】
0003592046.tif 000011
【図１１】
0003592046.tif 000012